(57)【要約】【課題】アンダーカットタイプの不正開封防止用バンド付ネジキャップが用いられている不正開栓防止機能付き口栓において、キャッピング時のバンド降下トルクを低減させてキャッピングの安定性を確保し、かつ口栓の洗浄などによる残水を抜きとり易くして衛生性を保持する不正開栓防止機能付き口栓の提供にある。【解決手段】アンダーカット部２０ａの不正開封防止用バンド２２が設けられているネジキャップ本体２０と、下部にネックリング１４が設けられている口部１０とでなり、該ネックリング１４に不正開封防止用バンド２２が巻き締めされている不正開栓防止機能付き口栓１において、前記ネックリング１４に複数の切欠き１４ａが口部のネジ部１２と略同方向のらせん形状を有し貫通している不正開栓防止機能付き口栓１とするものである。【選択図】図５
2006027667.tif 000002
【特許請求の範囲】
【請求項１】
上部にネジを有し、その下部にアンダーカット部を有する不正開封防止用バンドが設けられているネジキャップと、上部にネジを有し、その下部にネックリングが設けられている口部とでなり、該ネックリングに不正開封防止用バンドが巻き締めされている不正開栓防止機能付き口栓において、
前記ネックリングに１乃至複数の切欠きもしくは溝が縦方向に貫通するように刻設されていることを特徴とする不正開栓防止機能付き口栓。
【請求項２】
上記切欠きもしくは溝は、ネジキャップのネジと略同方向のらせん形状を有していることを特徴とする請求項１記載の不正開栓防止機能付き口栓。
【請求項３】
上記ネックリングの径方向の周縁最大高さが、ネジキャップのネジと略同方向のらせん形状を有していることを特徴とする請求項１乃至２のいずれかに記載の不正開栓防止機能付き口栓。
【発明の詳細な説明】
【技術分野】
【０００１】
本発明は、液体容器などの不正開栓防止機能付き口栓に関するものであり、特に、下部にアンダーカット部（係止部）を有する不正開封用バンドが付いているネジキャップを用いた不正開栓防止機能付き口栓に関する。
【背景技術】
【０００２】
従来、液体用紙容器やプラスチックボトルの不正開封（栓）を防止する方法として、口栓の口元にテープを貼る方法、あるいはシュリンクラベルを巻く方法など別部材を用いる方法と、キャップ自体に不正開栓防止機能を持たせる方法とが知られている。
【０００３】
上記キャップ自体に不正開栓防止機能を持たせる方法の一つとして、例えば図７の側面から見た説明図に示すように、ネジキャップ本体（２０）の下部にアンダーカット部（２０ａ）即ちネジキャップを閉めたときはネックリング（１４）に係止し、ネジキャップを開けようとしたときにネックリング（１４）に係止しているので、切れる機能を有する不正開封防止用バンド（２２）が設けられ、この不正開封防止用バンド（２２）が口部（１０）（スパウト）の下部にあるネックリング（１４）に巻き締めされていて、  開封（栓）時に、ネジキャップ本体（２０）を口部（１０）の螺着から外す（左回りに回す）とネックリング（１４）に巻き締めされている不正開封防止用バンド（２２）とキャップ本体（２０）が切り離され、不正開封防止用バンド（２２）がネックリング（１４）に残るようになっている方法がある（例えば、特許文献１参照。）。
【０００４】
以下に、上記先行技術文献を示す。
【特許文献１】特開２０００−３４４２６５号公報
【発明の開示】
【発明が解決しようとする課題】
【０００５】
しかしながら、上記キャップ自体に不正開栓防止機能を持たせる方法の如き従来技術においては、口部（１０）のらせん形状のネジ部（１２）の下部に設けられたネックリング（１４）の周縁が一様の突起形状を有しているため、内容物充填後のキャッピングにおいて、ネジキャップ本体（２０）の下部にある不正開封防止用バンド（２２）を、ネックリング（１４）を越して下降させながらこのネックリング（１４）に巻き締めする際に、抵抗が大きくなり、不正開封防止用バンド（２２）を降下させるトルク（以下バンド降下トルクという）が高くなり、この結果このキャッピングに安定性がなくなり、キャッピング不良などが発生するという問題点があった。
【０００６】
また、飲料等内容物の充填およびキャッピング後のシャワーリング等による口元の洗浄により、ネジキャップ本体（２０）のネジ部（１２）やネックリング（１４）に侵入した水が外部に抜けきれずに残り易くなり、その結果口元が微生物により汚染される危惧があるという問題点があった。
【０００７】
本発明は、かかる従来技術の問題点を解決するものであり、その課題とするところは、下部にアンダーカット部（内面係止部）を有する不正開封防止用バンド付きネジキャップが用いられている不正開栓防止機能付き口栓において、キャッピング時のバンド降下トルクを低減させてキャッピングの安定性を確保し、かつ内容物充填後の口栓の洗浄などによる残水を抜きとり易くして衛生性を保持する不正開栓防止機能付き口栓を提供することにある。
【課題を解決するための手段】
【０００８】
本発明に於いて上記課題を達成するために、まず請求項１の発明では、上部にネジを有し、その下部にアンダーカット部を有する不正開封防止用バンドが設けられているネジキャップと、上部にネジを有し、その下部にネックリングが設けられている口部とでなり、該ネックリングに不正開封防止用バンドが巻き締めされている不正開栓防止機能付き口栓において、
前記ネックリングに１乃至複数の切欠きもしくは溝が縦方向に貫通するように刻設されていることを特徴とする不正開栓防止機能付き口栓としたものである。
【０００９】
また、請求項２の発明では、上記切欠きもしくは溝は、ネジキャップのネジと略同方向のらせん形状を有していることを特徴とする請求項１記載の不正開栓防止機能付き口栓としたものである。
【００１０】
また、請求項３の発明では、上記ネックリングの径方向の周縁最大高さが、ネジキャップのネジと略同方向のらせん形状を有していることを特徴とする請求項１乃至２のいずれかに記載の不正開栓防止機能付き口栓としたものである。
【００１１】
上記請求項１でいうアンダーカット部とは、内面に係止部を有するもので、例えばネジキャップを閉めたときに口部のネックリングに係止し、ネジキャップを開けようとした際にネックリングに係止しているので、不正開封用バンドが切れるようになっているものである。
【発明の効果】
【００１２】
本発明は以上の構成であるから、下記に示す如き効果がある。
【００１３】
即ち、上記請求項１に係る発明によれば、上部にネジを有し、その下部にアンダーカット部を有する不正開封防止用バンドが設けられているネジキャップと、上部にネジを有し、その下部にネックリングが設けられている口部とでなり、該ネックリングに不正開封防止用バンドが巻き締めされている不正開栓防止機能付き口栓において、前記ネックリングに１乃至複数の切欠きもしくは溝が縦方向に貫通するように刻設されていることによって、内容物充填後のキャッピングにおいて、キャップ本体の下部にある不正開封防止用バンドを下降させながらこのネックリングに巻き締めする際に、抵抗が小さくなり、不正開封防止用バンドを降下させるトルク（バンド降下トルク）が低減され、キャッピングの安定性を確保することができる。
【００１４】
また、内容物充填後の口栓の洗浄などによる残水が縦方向に貫通する切欠きもしくは溝によって抜きとり易くし、衛生性の保持に寄与する不正開栓防止機能付き口栓とすることができる。
【００１５】
また、上記請求項２に係る発明によれば、上記切欠きもしくは溝の刻設を、ネジキャップのネジと略同方向のらせん形状とすることによって、内容物充填後のキャッピングにおいて、キャップ本体の下部にある不正開封防止用バンドをらせん形状のネジにしたがって回転させながらこのネックリングに巻き締めするようになるので、回転で降下させる抵抗がより小さくなって、不正開封防止用バンドを降下させるトルク（バンド降下トルク）がより低減され、キャッピングがスムースにできる不正開栓防止機能付き口栓とすることができる。
【００１６】
さらにまた、上記請求項３に係る発明によれば、上記ネックリングの径方向の周縁最大高さを、ネジキャップのネジと略同方向のらせん形状に突出しているようにすることによ
って、キャップ本体の下部にある不正開封防止用バンドをらせん形状のネジにしたがって回転させながらこのネックリングに巻き締めするようになるので、上記請求項２の切欠きもしくは溝の刻設をネジキャップのネジと略同方向のらせん形状とすることによる作用・効果に加え、回転で降下させる抵抗がさらに小さくなって、不正開封防止用バンドを降下させるトルク（バンド降下トルク）がさらに大きく低減されてキャッピングがさらにスムースになり、その結果キャッピング不良等の発生が皆無となる不正開栓防止機能付き口栓とすることができる。
【００１７】
従って本発明は、液体用紙容器や袋状容器、あるいはプラスチックボトルの不正開栓防止機能付き口栓として、優れた実用上の効果を発揮する。
【発明を実施するための最良の形態】
【００１８】
以下本発明を実施するための最良の形態を図面を用いて詳細に説明する。
【００１９】
図１は、本発明の不正開栓防止機能付き口栓を搭載した液体用紙容器の１事例を示す側面図であり、図２は、本発明の不正開栓防止機能付き口栓を搭載した袋状容器およびプラスチックボトルの１事例を示す側面図である。また、図３および図４は、本発明の不正開栓防止機能付き口栓の１事例を側面で表した説明図であり、図５は、本発明の不正開栓防止機能付き口栓の他の１事例を説明する側面部分図であり、図６は、本発明の不正開栓防止機能付き口栓のキャッピング工程の１事例を示す側面図である。
【００２０】
本発明は、例えば図１（ａ）に示すように、上部にネジ部を有し、その下部にアンダーカット部を有する不正開封防止用バンド（２２）が設けられているネジキャップ本体（２０）が、下部にネックリング（図示せず）が連結している口部（１０）に巻き締めされている不正開栓防止機能付き口栓（１）に関するものである。
【００２１】
上記の不正開栓防止機能付き口栓（１）を、例えば図１（ａ）に示すように、四角柱状の胴部（５２）を有し、その上部にある蓋としてのゲーブルトップ型の頂部傾斜板（５４）に、内容物（液体飲料等）を注出し易いように取り付けられた液体用紙容器（５）に適用することができる。
【００２２】
また、例えば図２（ａ）に示すように、本発明の不正開栓防止機能付き口栓（１）は、下部に不正開封防止用バンド（２２）が設けられているネジキャップ本体（２０）と下部にネックリング（図示せず）が設けられている口部（１０）とでなるもので、その不正開栓防止機能付き口栓（１）を上端縁シール部（６２）にシールしてなる袋状容器（６）に適用することもできる。
【００２３】
さらにまた、図２（ｂ）に示すように、本発明の不正開栓防止機能付き口栓（１）は、下部にネックリング（図示せず）が設けられている口部（１０）に、下部に不正開封防止用バンド（２２）が設けられているネジキャップ本体（２０）を巻き締めしてなるもので、その不正開栓防止機能付き口栓（１）がこの口部（１０）の頂部に一体化されているプラスチックボトル（７）に適用することもできる。
【００２４】
上記液体用紙容器（５）、袋状容器（６）およびプラスチックボトル（７）のいずれに取り付けられた不正開栓防止機能付き口栓（１）においても、その開栓に際し、例えば図１（ｂ）に示すように、ネジキャップ本体（２０）を左回し（Ｑ）に回転すると、ネジキャップ本体（２０）と不正開封防止用バンド（２２）が切断されて分離し、不正開封防止用バンド（２２）のみが口部（１０）のネックリング（図示せず）に残るようになり、このように一旦開封した不正開栓防止機能付き口栓（１）は、再封止しても、開封したことが外観から容易に判明することのできるようになっているものである。
【００２５】
そこで、上記請求項１に係る発明は、例えば図３（ａ）の側面図（一部が側断面図）およびそのＢ−Ｂ面を表す図３（ｂ）の断面図に示すように、上部にネジ部（２４）を有し、その下部にアンダーカット部（２０ａ）を有する不正開封防止用バンド（２２）が連結しているネジキャップ本体（２０）と、上部にネジ部（１２）を有し、その下部にネックリング（１４）が設けられている口部（１０）とでなり、このネックリング（１４）にネジキャップ本体（２０）の下部に連結している不正開封防止用バンド（２２）が巻き締めされている不正開栓防止機能付き口栓（１）であって、このネックリング（１４）の３箇所に切欠き（１４ａ）が縦方向にかつ上部と下部が貫通するように刻設されていることを特徴とする不正開栓防止機能付き口栓（１）である。
【００２６】
このように、ネックリング（１４）に切欠き（１４ａ）を縦方向に貫通するように設けることによって、不正開封防止用バンド（２２）が連結しているネジキャップ本体（２０）をネックリング（１４）に巻き締めする（キャッピング）に際し、この切欠き（１４ａ）により抵抗が小さくなってバンド降下トルクが低減されるので、キャップング不良の発生などがなくなるようになる。
【００２７】
また、口栓の洗浄などによる残水がこの縦方向に貫通する切欠き（１４ａ）によって抜きとり易くし、衛生性の保持に寄与する不正開栓防止機能付き口栓（１）とすることができる。
【００２８】
上記ネックリング（１４）に刻設される切欠き（１４ａ）の数は、１個（所）でもよいが、２〜４個程度として水が抜け易いようにした方が好ましく、また例えば図１（ａ）に示すように、この不正開栓防止機能付き口栓（１）がゲーブルトップ型の液体用紙容器（５）の頂部傾斜板（５４）に取り付けられている場合、２乃至３個の切欠きを設けることによって、少なくともその内の１個は不正開栓防止機能付き口栓（１）の下部にくるようになるので、水が自然に抜け易いようになる。但し４個程度を越えると逆に外部からの水分が侵入し易くなるので多すぎても好ましくない。
【００２９】
また、上記請求項１に係る発明では、図３（ａ）および（ｂ）に示す切欠き（１４ａ）に代え、例えば図４（ａ）の側面図（一部が側断面図）およびそのＢ−Ｂ面を表す図４（ｂ）の断面図に示すように、口部（１０）の下部に設けられたネックリング（１４）の３箇所に溝（１４ｂ）が縦方向にかつ上部と下部が貫通するように刻設されていることを特徴とする不正開栓防止機能付き口栓（１）とすることもできる。
【００３０】
上記のように、ネックリング（１４）に複数（３個）の溝（１４ｂ）を縦方向に貫通するように設けることによって、上記の切欠き（１４ａ）の場合と略同様の作用・効果、すなわちバンド降下トルクの低減とそれによるキャッピングの安定性の確保ができ、さらに口栓（１）の洗浄などによる残水が抜け易くなるという作用・効果を有するものとすることができる。
【００３１】
また、上記請求項２に係る発明は、例えば図５（ａ）の側面図およびそのＢ−Ｂ面を表す図５（ｂ）の断面図に示すように、口部（１０）の下部に設けられたネックリング（１４）に刻設された３個（所）の切欠き（１４ａ）を、ネジキャップのネジ即ち口部（１０）の上部に設けられているネジ部（１２）と略同方向のらせん形状を有しているようにしたことを特徴とする不正開栓防止機能付き口栓（１）である。
【００３２】
また、上記請求項２に係る発明では、図５（ａ）および（ｂ）に示す切欠き（１４ａ）に代え、図示しないが口部（１０）の下部に設けられたネックリング（１４）の３箇所に、ネジキャップのネジ即ち口部（１０）の上部に設けられているネジ部（１２）と略同方
向のらせん形状を有している溝を設け、この溝が上部と下部が貫通するようにしたことを特徴とする不正開栓防止機能付き口栓（１）とすることもできる。
【００３３】
以上のように、口部（１０）の下部に設けられたネックリング（１４）に刻設された３個（所）の切欠き（１４ａ）あるいは溝（図示せず）を、ネジキャップのネジ即ちそれと同形状の口部（１０）の上部に設けられているネジ部（１２）と略同方向のらせん形状を有しているようにしたことによって、例えば図６の側面図（一部側断面図）に示すように、内容物充填後のキャッピングに際し、キャップ本体（２０）の下部にある不正開封防止用バンド（２２）をらせん形状のネジ部（２４）に従って右回り（Ｐ）に回転させながらこのネックリング（１４）に巻き締めするようになる。
【００３４】
その結果、キャップ本体（２０）を回転で降下させる抵抗がより小さくなって、不正開封防止用バンド（２２）がネックリング（１４）を乗り越えて降下するトルク（バンド降下トルク）がより低減され、キャッピングがスムースにでき、キャッピング不良などのない不正開栓防止機能付き口栓（１）とすることができる。
【００３５】
さらにまた、上記請求項３に係る発明は、例えば図５（ａ）の側面図およびそのＢ−Ｂ面を表す図５（ｂ）の断面図に示すように、口部（１０）の下部に設けられたネックリング（１４）の径方向の周縁最大高さ（Ｈ）の頂点（Ｔ）を、ネジキャップ（図示せず）のネジ即ちそれと同形状の口部（１０）の上部に設けられているネジ部（１２）と略同方向のらせん形状を有しているようにしたことを特徴とする不正開栓防止機能付き口栓（１）である。
【００３６】
以上のように、口部（１０）の下部に設けられたネックリング（１４）の径方向の周縁最大高さ（Ｈ）の頂点（Ｔ）を、ネジキャップのネジ即ちそれと同形状の口部（１０）の上部に設けられているネジ部（１２）と略同方向のらせん形状を有しているようにしたことによって、例えば図６の側面図（一部側断面図）に示すように、内容物充填後のキャッピングに際し、キャップ本体（２０）の下部にある不正開封防止用バンド（２２）をらせん形状のネジ部（２４）に従って右回り（Ｐ）に回転させながらこのネックリング（１４）に巻き締めするようになるので、上記の切欠き（１４ａ）の刻設の効果に加え、回転で降下させる抵抗がさらに小さくなって、不正開封防止用バンド（２２）がネックリング（１４）を乗り越えて降下するトルク（バンド降下トルク）がさらに低減され、キャッピングがスムースにでき、キャッピング不良などの発生が皆無となる不正開栓防止機能付き口栓（１）とすることができる。
【００３７】
また、図６に示す切欠き（１４ａ）に代え、図示しないが溝とした場合も略同様の作用・効果を示し、バンド降下トルクがさらに大きく低減され、キャッピング不良などの発生が皆無となる不正開栓防止機能付き口栓とすることができる。
【００３８】
本発明の不正開栓防止機能付き口栓（１）を構成する筒状の口部（１０）およびそれに冠する不正開封防止用バンド（２２）付ネジキャップ本体（２０）の材料としては、射出成形性に優れ、かつ衛生性と安全性（溶出物質のない）が保持される汎用樹脂が挙げられ、例えばポリエチレン、ポリプロピレン、ポリエチレンテレフタレート、ナイロンなどが使用され、内容物や用途等に応じて適宜選定される。
【００３９】
また、これら溶融樹脂を用い、射出成形法で筒状の口部（１０）およびそれに冠する不正開封防止用バンド（２２）が連結しているネジキャップ本体（２０）とすることができる。
【００４０】
但し図２（ｂ）に示すように飲料を収納するプラスチックボトル（７）とその口部（１
０）は、衛生性と安全性に加え、リサイクル性、強靱性などを考慮したポリエチレンテレフタレート（ＰＥＴ）製が殆どである。
【００４１】
以上のような材料と形態とした本発明の不正開栓防止機能付き口栓（１）は、内容物（ジュースなど液体飲料）の充填後のキャッピング工程において、ネジキャップ本体の下部にある不正開封防止用バンド（２２）を、口部（１０）に形成されているネックリング（１４）を越しながら巻き締めする際のバンド降下トルクを極力低下させ、このキャッピング不良が皆無となるようにしたものであり、さらに口部（１０）の洗浄などによる水が口部（１０）のネジ（１２）間などに残っていても、自然に排出されるようになっていて、残水に発生する微生物による汚染の危惧がない不正開栓防止機能付き口栓を提供することができる。
【図面の簡単な説明】
【００４２】
【図１】本発明の不正開栓防止機能付き口栓が搭載されている液体用紙容器の１事例を説明するもので、（ａ）は、その側面図であり、（ｂ）は、開封した時の側面図である。
【図２】本発明の不正開栓防止機能付き口栓が搭載されている他の容器の１事例を説明するもので、（ａ）は、袋状容器の側面図であり、（ｂ）は、プラスチックボトルの側面図である。
【図３】本発明の不正開栓防止機能付き口栓の１実施の形態を示すもので、（ａ）は、その側面図（一部側断面図）であり、（ｂ）は、（ａ）のＢ−Ｂ面を表す断面図である。
【図４】本発明の不正開栓防止機能付き口栓の他の１実施の形態を示すもので、（ａ）は、その側面図（一部側断面図）であり、（ｂ）は、（ａ）のＢ−Ｂ面を表す断面図である。
【図５】本発明の不正開栓防止機能付き口栓のさらに他の１実施の形態を示すもので、（ａ）は、その側面図（一部側断面図）であり、（ｂ）は、（ａ）のＢ−Ｂ面を表す断面図である。
【図６】本発明の不正開栓防止機能付き口栓のキャッピング工程の１事例を説明する側面図である。
【図７】従来の不正開栓防止機能付き口栓の１事例を説明する側面図である。
【符号の説明】
【００４３】
１‥‥不正開栓防止機能付き口栓
５‥‥液体用紙容器
６‥‥袋状容器
７‥‥プラスチックボトル
１０‥‥口部
１２‥‥口部のネジ部
１４‥‥ネックリング
１４ａ‥‥切欠き
１４ｂ‥‥溝
２０‥‥ネジキャップ本体
２０ａ‥‥アンダーカット部
２２‥‥不正開封防止用バンド
２４‥‥ネジキャップ本体のネジ部
５２‥‥四角柱状胴部
５４‥‥頂部傾斜板
６２‥‥上端縁シール部
Ｈ‥‥ネックリングの径方向の最大高さ
Ｐ‥‥キャッピング方向（右回り）
Ｑ‥‥開栓方向（左回り）
Ｔ‥‥ネックリングの径方向の頂点
【図１】
2006027667.tif 000003
【図２】
2006027667.tif 000004
【図３】
2006027667.tif 000005
【図４】
2006027667.tif 000006
【図５】
2006027667.tif 000007
【図６】
2006027667.tif 000008
【図７】
2006027667.tif 000009